(57)【要約】      （修正有）【課題】シャーシに装着されたカバーの上面の歪みを抑制することにより、カバーと光ピックアップ、光ディスクの隙間を詰めて、小型化を図ることができる光ディスク駆動装置を提供する。【解決手段】当接部２０ｋは、シャーシの第１側壁１０ｃと当接される第２側壁２０ｚと、板ばね部２０ｍを支持するばね支持部２０ｙと、カバーを上方に付勢する板ばね部２０ｍと、板ばね部２０ｍから下方に突出された凸部２０ｎを有する。シャーシにカバーが装着されたとき、板ばね部２０ｍの付勢力によって四角孔２０ｃにダボ１０ｄが強固に係合される。このとき、ばね支持部２０ｙを支点として板ばね部２０ｍが撓むので、第２側壁２０ｚを歪ませることなく、板ばね部２０ｍの付勢力でカバーを上方に持ち上げ、カバーの天面の歪みを抑制する。【選択図】図３
2011118989.tif 000002
【特許請求の範囲】
【請求項１】
光ディスクを回転駆動するディスクモータと、前記ディスクモータによって回転駆動される光ディスクに光を照射し、その反射光を電気信号に変換することにより光ディスクに記録されている情報を読み取る光ピックアップと、前記ディスクモータ及び光ピックアップが搭載されるシャーシと、シャーシの上方に装着されるカバーを備えた光ディスク駆動装置において、
前記シャーシは、前記光ピックアップを搭載するための底面と、前記カバーを位置決めするために前記底面から起立された第１側壁と、第１側壁から突出されたダボを有し、
前記カバーは、天面と、前記ダボに係合される孔と、前記シャーシの第１側壁と当接される第２側壁と、第２側壁から延出されたばね支持部と、前記ばね支持部から延出されて支持される板ばね部を有していることを特徴とする光ディスク駆動装置。
【請求項２】
前記ばね支持部の延出方向と、前記板ばね部の延出方向が直交することを特徴とする請求項１に記載の光ディスク駆動装置。
【請求項３】
前記カバーは、前記ばね支持部の先端部が折り返されて形成され、前記シャーシの底面と当接される当接面をさらに有することを特徴とする請求項２に記載の光ディスク駆動装置。
【請求項４】
回転駆動される光ディスクに光を照射し、その反射光を電気信号に変換することにより光ディスクに記録されている情報を読み取る光ピックアップと、前記光ピックアップが搭載されるシャーシと、シャーシの上方に装着されるカバーを備えたカバー固定構造において、
前記シャーシは、前記光ピックアップを搭載するための底面と、前記カバーを位置決めするために前記底面から起立された第１側壁と、第１側壁から突出されたダボを有し、
前記カバーは、天面と、前記ダボに係合される孔と、前記シャーシの第１側壁と当接される第２側壁と、第２側壁から延出されたばね支持部と、前記ばね支持部から延出されて支持される板ばね部を有していることを特徴とするカバー固定構造。
【発明の詳細な説明】
【技術分野】
【０００１】
本発明は、光ディスク駆動装置及びそれに用いられるカバー固定構造に関するものである。
【背景技術】
【０００２】
従来から、ノートＰＣなどに代表されるポータブル機器には、内部の部品を保護するためのカバーが設けられた光ディスク駆動装置が搭載されている。図７は、このような光ディスク駆動装置の構成を示している。光ディスク駆動装置は、光ディスクを回転駆動するディスクモータ３と、光ディスクから情報を読み出す光ピックアップ４と、ディスクモータ３及び光ピックアップ４が搭載されるシャーシ１０と、シャーシ１０に取り付けられるカバー２０などで構成されている。光ディスク駆動装置の高さ寸法を抑制するために、カバー２０は、光ピックアップ４及び光ピックアップ４を光ディスクの径方向に移動可能に支持する構造と干渉しない程度に、できるだけ低く（シャーシ１０に接近させて）装着されている。
【０００３】
図８は、シャーシ１０及びカバー２０の構造を示している。シャーシ１０には、カバー２０を前後左右方向に位置決めするための側壁１０ａ、側壁１０ｃ、側壁１０ｅ、側壁１０ｇが一体的に設けられている。側壁１０ａには四角孔１０ｂが設けられており、カバー２０に設けられているフック部２０ａが係合される。また側壁１０ｃにはダボ１０ｄが設けられており、カバー２０のフック部２０ｂに設けている四角孔２０ｃが係合される（側壁１０ｅ、側壁１０ｇについても同様）。カバー２０の側壁には、先端部を折り曲げた形状の板ばね２０ｊが形成されている。
【０００４】
図９及び図１０は、フック部２０ｂ及び板ばね２０ｊの周辺の構造を示している。カバー２０がシャーシ１０に装着されると、板ばね２０ｊは、先端部がシャーシ１０と当接し、カバー２０の側壁を上方（シャーシ１０から離れる方向）に付勢する。これにより、四角孔２０ｃの下縁とダボ１０ｄの下縁の当接状態が維持され、四角孔２０ｃとダボ１０ｄが強固に係合される。
【０００５】
しかしながら、板ばね２０ｊによってカバー２０の側壁が上方に付勢されると、図１０において、２点鎖線で示すように、その付勢力がカバー２０の側壁から天面２０ｔに伝わり、カバー２０の上面が凹状に歪まされる。カバー２０の天面２０ｔが凹状に歪むと、光ピックアップ４や光ピックアップ４を光ディスクの径方向に移動可能に支持する構造とカバー２０が当接し、光ピックアップ４の移動に支障を来たす。また、光ピックアップ４のスキュー調整に必要な隙間が確保できないという問題が生ずる。この問題は、カバー２０の板厚を薄く設計した場合に顕著となる。そのため、カバー２０の高さ寸法を小さくすることが困難で、光ディスク駆動装置のさらなる小型化（薄型化）を阻む一因となっている。
【０００６】
図１０においては、板ばね２０ｊの先端を外側に折り曲げた構造を示しているが、板ばね２０ｊの先端を内側に折り曲げた構造を採用した場合は、カバー２０の天面２０ｔが凸状に歪む。従って、回転駆動される光ディスクと当接しないように、光ディスクをカバー２０から離れた位置で支持しなければならず、光ディスク駆動装置のさらなる小型化を図ることが困難となる。
【０００７】
なお、上記図７乃至図１０に示した光ディスク駆動装置とは別の技術として、特許文献１には、受光部で受光した光をトレイの外部から視認できるよう表示部を設けた装置が示されている。また、特許文献２には、防塵機能を備えたダストカバーを安定的に支持するための構造として、ダストカバーに弾性変位可能に一体突設されたＵ字板が示されている。特許文献３には、外装カバーの天板部の振動を効果的に防止するために、メインフレームと外装カバーの天板部との間に介在された板バネ部に関する技術が示されている。特許文献４には、ダストカバーと共にディスクドライブをシャーシに組み付ける際の作業性を高めるための仮固定用弾性部材に関する技術が示されている。
【先行技術文献】
【特許文献】
【０００８】
【特許文献１】特開２００２−０５０１６２号公報
【特許文献２】特開２００９−０２０９３８号公報
【特許文献３】特開２００２−０８３４９０号公報
【特許文献４】特開２００８−１１２５２９号公報
【発明の概要】
【発明が解決しようとする課題】
【０００９】
本発明は、上記課題を解決するためになされたものであり、シャーシに装着されたカバーの上面の歪みを抑制することにより、カバーと光ピックアップ、光ディスクの隙間を詰めて、小型化を図ることができる光ディスク駆動装置を提供することを目的とする。
【課題を解決するための手段】
【００１０】
上記目的を達成するために請求項１の発明は、光ディスクを回転駆動するディスクモータと、前記ディスクモータによって回転駆動される光ディスクに光を照射し、その反射光を電気信号に変換することにより光ディスクに記録されている情報を読み取る光ピックアップと、前記ディスクモータ及び光ピックアップが搭載されるシャーシと、シャーシの上方に装着されるカバーを備えた光ディスク駆動装置において、前記シャーシは、前記光ピックアップを搭載するための底面と、前記カバーを位置決めするために前記底面から起立された第１側壁と、第１側壁から突出されたダボを有し、前記カバーは、天面と、前記ダボに係合される孔と、前記天面から屈曲され前記シャーシの第１側壁と当接される第２側壁と、第２側壁から延出されたばね支持部と、前記ばね支持部から延出されて支持される板ばね部を有していることを特徴とする。
【００１１】
請求項２の発明は、請求項１に記載の光ディスク駆動装置において、前記ばね支持部の延出方向と、前記板ばね部の延出方向が直交することを特徴とする。
【００１２】
請求項３の発明は、請求項２に記載の光ディスク駆動装置において、前記カバーは、前記ばね支持部の先端部が折り返されて形成され、前記シャーシの底面と当接される当接面をさらに有することを特徴とする。
【００１３】
請求項４の発明は、回転駆動される光ディスクに光を照射し、その反射光を電気信号に変換することにより光ディスクに記録されている情報を読み取る光ピックアップと、前記光ピックアップが搭載されるシャーシと、シャーシの上方に装着されるカバーを備えたカバー固定構造において、前記シャーシは、前記光ピックアップを搭載するための底面と、前記カバーを位置決めするために前記底面から起立された第１側壁と、第１側壁から突出されたダボを有し、前記カバーは、天面と、前記ダボに係合される孔と、前記シャーシの第１側壁と当接される第２側壁と、第２側壁から延出されたばね支持部と、前記ばね支持部から延出されて支持される板ばね部を有していることを特徴とする。
【発明の効果】
【００１４】
請求項１の発明によれば、シャーシにカバーが装着されたとき、板ばねの付勢力によってダボに孔が強固に係合される。このとき、ばね支持部を支点として板ばねが撓むので、カバーを薄く形成した場合であっても第２側壁を歪ませることなく、板ばねの付勢力でカバーを上方に持ち上げ、カバーの天面の歪みを抑制することができる。従って、天面と光ディスクの干渉を防止しつつ、天面と光ディスクの隙間を小さくすることができ、光ディスク装置の小型化を図ることが可能となる。同様に、天面と光ピックアップの干渉を防止しつつ、天面と光ピックアップの隙間を小さくすることができ、光ディスク装置の小型化を図ることが可能となる。
【００１５】
請求項２の発明によれば、ばね支持部の延出方向と、板ばね部の延出方向が直交するので、板ばね部は、第２側壁の面に平行な方向に撓み、第２側壁を面内に回転させようとする力が発生し、第２側壁を捻るように作用する。この第２側壁は、天面から屈曲されているので、板ばね部から面内に力を受けてもほとんど歪まないため、カバーの天面の歪みをより一層抑制することができる。
【００１６】
請求項３の発明によれば、ばね支持部の先端部が折り返されて当接面が形成されているので、ばね支持部を強固な構造とすることができる。
【００１７】
請求項４の発明によれば、請求項１と同様に、カバー固定構造の小型化を図ることが可能となる。
【図面の簡単な説明】
【００１８】
【図１】本発明の一実施形態による光ディスク駆動装置の構成を示す斜視図。
【図２】同装置のシャーシとカバーの組み立て斜視図。
【図３】同装置のシャーシへのカバーの装着状態を示す斜視図。
【図４】同装置の当接部の構造を示す下面側から示す斜視図。
【図５】同装置の当接部及びその周辺の構造を示す側断面図。
【図６】同装置のシャーシへのカバーの装着状態を示す正断面図。
【図７】従来の光ディスク駆動装置の構成を示す斜視図。
【図８】従来のシャーシとカバーの組み立て斜視図。
【図９】従来のシャーシへのカバーの装着状態を示す斜視図。
【図１０】従来のシャーシへのカバーの装着状態を示す正断面図。
【発明を実施するための形態】
【００１９】
本発明の一実施形態による光ディスク駆動装置について図面を参照して説明する。図１は、光ディスク駆動装置、特に光ディスク駆動装置の主要部を保護するカバー構造を示している。光ディスク駆動装置は、ディスクモータ３、光ピックアップ４、シャーシ１０、カバー２０などによって構成されている。ディスクモータ３は、装填された光ディスクを回転駆動する。光ピックアップ４は、光を光ディスクの記録面に照射し、その反射光を電気信号に変換することにより、光ディスクに記録されている情報を読み取る。シャーシ１０には、ディスクモータ３、光ピックアップ４などの各種部品が搭載され、その外側にカバー２０が装着されている。カバー２０の天面２０ｔには、光ピックアップと光ディスクとの間で光を透過させるための孔が形成されている。
【００２０】
図２は、シャーシ１０及びカバー２０の構造を示している。シャーシ１０には、カバー２０を前後左右方向に位置決めするための第１側壁１０ａ、第１側壁１０ｃ、第１側壁１０ｅ、第１側壁１０ｇが一体的に設けられている。第１側壁１０ａには四角孔１０ｂが設けられており、カバー２０に設けられているコの字形状のフック部２０ａが係合される。また第１側壁１０ｃにはダボ１０ｄが設けられており、カバー２０のフック部２０ｂに設けている四角孔２０ｃが係合される（第１側壁１０ｅ、第１側壁１０ｇについても同様）。
【００２１】
カバー２０の前側の側壁には、四角孔１０ｂと係合されるフック部２０ａが一体的に設けられている。カバー２０の左右の側壁には、ダボ１０ｄと係合されるフック部２０ｂが一体的に設けられている。フック部２０ｂには、ダボ１０ｄと係合される四角孔２０ｃが形成されている。また、カバー２０の左右の側壁には、シャーシ１０と当接されるＬ字形状の当接部２０ｋ、２０ｐが一体的に設けられている。
【００２２】
図３及び図４は、当接部２０ｋの構造を示している。当接部２０ｋは、第１側壁１０ｃと当接される第２側壁２０ｚと、板ばね部２０ｍを支持する一対のばね支持部２０ｙと、ばね支持部２０ｙによって支持されて、カバー２０を上方に付勢する一対の板ばね部２０ｍと、板ばね部２０ｍから下方に突出された凸部２０ｎと、シャーシ１０の底面１０ｚと当接される当接面２０ｘを有している。ばね支持部２０ｙは、第２側壁２０ｚの両端から延出・屈曲されて形成される。板ばね部２０ｍは、ばね支持部２０ｙの延出方向（Ｘ方向：図１参照）に直交する方向（Ｙ方向）に延出されている。当接面２０ｘは、ばね支持部２０ｙの先端部をヘミング加工されることにより形成される。当接面２０ｘの中央部には、凸部２０ｎを当接面２０ｘの下方に突出させるための窓が形成されている。当接部２０ｋと同様に、当接部２０ｐは、板ばね部２０ｑと、凸部２０ｒなどを有している（図２参照）。凸部２０ｎ及び凸部２０ｒは、板ばね部２０ｍ及び板ばね部２０ｑによって前後両側から支持されている。以下、当接部２０ｋについて説明する。
【００２３】
図５及び図６は、シャーシ１０にカバー２０が装着されたときの当接部２０ｋの周辺を示している。シャーシ１０にカバー２０が装着されたとき、当接面２０ｘが底面１０ｚに密着するまで、凸部２０ｎがシャーシ１０の底面１０ｚに押され、板ばね部２０ｍがばね支持部２０ｙとの結合部分を支点として上方に撓む。この板ばね部２０ｍの付勢力は、ばね支持部２０ｙ、第２側壁２０ｚを介してカバー２０の全体に伝達され、カバー２０が上方に押し上げられる。これにより、四角孔２０ｃの下縁とダボ１０ｄの下縁の当接状態が維持され、四角孔２０ｃとダボ１０ｄが強固に係合される。
【００２４】
本実施形態の光ディスク駆動装置によれば、シャーシ１０にカバー２０が装着されたとき、板ばね部２０ｍの付勢力によって四角孔２０ｃにダボ１０ｄが強固に係合される。このとき、ばね支持部２０ｙを支点として板ばね部２０ｍが撓むので、第２側壁２０ｚを歪ませることなく、板ばね部２０ｍの付勢力でカバー２０を上方に持ち上げ、カバー２０の天面２０ｔの歪みを抑制することができる。従って、天面２０ｔと光ディスクの干渉を防止しつつ、天面２０ｔと光ディスクの隙間を小さくすることができ、光ディスク装置の小型化を図ることが可能となる。同様に、天面２０ｔと光ピックアップ４の干渉を防止しつつ、天面２０ｔと光ピックアップ４の隙間を小さくすることができ、光ディスク装置の小型化を図ることが可能となる。
【００２５】
また、ばね支持部２０ｙの延出方向と、板ばね部２０ｍの延出方向が直交するので、板ばね部２０ｍは、第２側壁２０ｚの面に平行な方向に撓み、第２側壁２０ｚを面内に回転させようとする力が発生し、第２側壁２０ｚを捻るように作用する。この第２側壁２０ｚは、天面２０ｔから屈曲されているので、板ばね部２０ｍから面内に力を受けてもほとんど歪まない。特に、本実施形態においては、凸部２０ｎを挟んで、一対の板ばね部２０ｍ、ばね支持部２０ｙが対称に形成されているので、第２側壁２０ｚを面内に回転させようとする力は互いに打ち消し合う。そのため、天面２０ｔの歪みをより一層抑制することができる。また、ばね支持部２０ｙの先端部が折り返されて当接面２０ｘが形成されているので、板ばね部２０ｍに無理な力がかけられることはなく、ばね支持部２０ｙ及びその周辺を強固な構造とすることができる。
【００２６】
なお、本発明は上記実施形態の構成に限られることなく、少なくともシャーシ１０にカバー２０が装着されたとき、ばね支持部２０ｙを支点として板ばね部２０ｍが撓み、第２側壁２０ｚを歪ませることなく、板ばね部２０ｍの付勢力でカバー２０を上方に持ち上げるように構成されていればよい。また、本発明は種々の変形が可能であり、例えば、第２側壁２０ｚ、ばね支持部２０ｙ、板ばね部２０ｍの形状や配置は、図１乃至図６に示したものに限られることなく適宜設定することができる。
【符号の説明】
【００２７】
３    ディスクモータ
４    光ピックアップ
１０    シャーシ
１０ａ    第１側壁
１０ｄ    ダボ
１０ｚ    底面
２０    カバー
２０ｂ    フック部
２０ｍ    板ばね部
２０ｔ    天面
２０ｙ    ばね支持部
２０ｚ    第２側壁
【図１】
2011118989.tif 000003
【図２】
2011118989.tif 000004
【図３】
2011118989.tif 000005
【図４】
2011118989.tif 000006
【図５】
2011118989.tif 000007
【図６】
2011118989.tif 000008
【図７】
2011118989.tif 000009
【図８】
2011118989.tif 000010
【図９】
2011118989.tif 000011
【図１０】
2011118989.tif 000012